(57)【要約】【課題】  簡単な構造で製造容易な装着補助具を用いてコンドームの装着を違和感なく容易にするとともに装着後の装着補助具の除去取扱いを容易とする。【解決手段】  本願発明は、天然ゴムまたは合成ゴムのコンドームと装着補助具よりなる装着補助具付コンドームであって、コンドームの開口端部から閉端部に向かってコンドームの外周壁を内側になるようにして巻き上げる際に、（１）開口端部付近の外周面に帯状の弾性高分子材料であって多数のくりぬき中空部が設けられているか、または長手方向に対してほぼ直角に多数の切り込みが設けられた材料Aあるいは（２）伸縮自在の包帯または伸縮自在の帯状の不織布の材料Bより選ばれる帯状の弾性材料を重合して巻き上げ部の内部に巻き込んでなるコンドームとすることにより解決した。（発明の効果）装着補助具を使用することによりコンドームの巻き上げ部の大きさ（直径）が大きくなるとともに伸縮性が良好であるため、装着感がきわめてソフトで、装着後の装着補助具の後始末がきわめて簡単である。【選択図】  図１
2005111117.tif 000002
【特許請求の範囲】
【請求項１】
天然ゴムまたは合成ゴムのコンドームと装着補助具よりなる装着補助具付コンドームであって、コンドームの開口端部から閉端部に向かってコンドームの外周壁を内側になるようにして巻き上げる際に、開口端部付近の外周面に下記の材料Aおよび材料Bより選ばれる帯状の弾性材料を重合して巻き上げて、巻き上げ部の内部に巻き込んでなる上記コンドーム。
材料A ；帯状の弾性高分子材料であって多数のくりぬき中空部が設けられているか、または長手方向に対してほぼ直角に多数の切り込みが設けられた材料
材料B；伸縮自在の包帯または伸縮自在の帯状の不織布
【請求項２】
装着補助具の材料Aが天然ゴム、合成ゴム、天然ゴム発泡体、合成ゴム発泡体、またはポリウレタン発泡体よりなる材料より選ばれる帯状の弾性材料であることを特徴とする請求項１記載の装着補助具付コンドーム。
【請求項３】
装着補助具の材料Aが伸縮弾性を有する不織布よりなる帯状の弾性材料であることを特徴とする請求項１記載の装着補助具付コンドーム。
【請求項４】
装着補助具の材料Aが、多数のくりぬき中空部が設けられている帯状の弾性高分子材料であって、そのくりぬき中空部の形状が円形、楕円形、または菱形のいずれかより選ばれる形状であることを特徴とする請求項１記載の装着補助具付コンドーム。
【発明の詳細な説明】
【技術分野】
【０００１】
本願発明は、装着が容易なコンドームと補助具とよりなる男性用避妊具に関する。
【背景技術】
【０００２】
男性用避妊具のいわゆるコンドームは、コンドームの先端の閉端部に一体に形成された精液溜を有し、また後端部の開口端部には通常一体に形成されたリングを有しており、この開口端部のリングをベースとしてコンドーム外周面が内側となるように閉端部に向かって巻き上げられて巻上げ部を形成した（図９にみるような）形態にしてからそれぞれ包装され、市販されている。そして、装着時には、コンドーム内側となる先端の閉端部を陰茎先端に接触させてから、この巻き上げ部を巻き戻しつつ陰茎に装着するようになっている。
しかし、コンドームはなるべく薄いものが好まれる傾向があるところから、このリングをベースにした巻き上げ部の厚み（直径）は３〜４ミリ程度となってしまい、人間の指の大きさに比べて小さいため、装着時に装着しにくいという問題が生じている。
このため、従来よりこの不便さを解消するためのいろいろな工夫が提案されている。
【０００３】
たとえば、装着時リングとして、コンドームのおもて面の識別用凹凸を備えたゴムリングの内部に、脱落防止用突起を備えたガイド棒を、中央に陰茎差し込み用空間をもつ形で組み、差し込み口を中央に設けた底面シートをゴムリング底部に取り付け、コンドームをガイド棒と底面シートで上下から挟み込んだ構造の装着時リングが提案されている。しかし、このようなものは構造が比較的簡単とはいえ、ゴムリングがあまり変形しやすいと底面シートが破れてこわれてしまうとか、装着する際にこのような用具をわざわざ用意しなくてはならないとか、あるいはコンドームに塗布されたゼリーなどにより汚染されやすく、常に清潔に保つのがむずかしいなどの欠点がある（例えば、特許文献1参照）。
【０００４】
また、Ｕ字状筒体にこれを支える台を設けるとともにコンドームを固定するみぞを設けた装着器具、さらに、コンドームを保持し、装着を容易にするリング状のコンドームアプリケータなどが提案されているが、コンドームを装着器具やアプリケータに一旦セットしてから陰茎に装着し、しかも装着後取り去らねばならず、塗布されたゼリーによる汚染とか、それ自体常に清潔にしておかなければならないとか、装着使用時にわざわざコンドームをアプリケータなどに装着しなければならないとか、アプリケータを常時用意しておかなければならないなどの欠点がある（たとえば、特許文献２、特許文献３、特許文献４参照。）。
【０００５】
さらに、コンドーム装着が容易なように、開口端部のリングをベースにして巻き上げて巻き上げ部を形成する際に、少なくとも一本、ないし一対のテープ状物を添えて巻き上げると、装着時にこのテープ状物を陰茎根本側に引張ることにより巻き上げ部が巻き戻されて、容易に装着できるということが提案されている。
しかしながら、この方法によるとわざわざアプリケータやその他の補助具を使用しなくてもよいという利点があるものの、このテープ状物は、なるべく巾と厚みがないほうがよいが、巾と厚みをすくなくすると装着時に引張りにくいとか、あるいは巻き上げ部を形成する際に巻き上げにくいとか、コンドームにゼリーが塗布されている場合にはゼリーにくっついてしまってつかみにくくなる場合があるなどの問題が生じ、一方、巾や厚みを増すと、たとえば厚みのみを厚くすると巻き上げ部の一部だけが嵩高となって見た目がよくないという欠点が生じ、また、両者を増すと装着時に引張りやすいなどの利点がでてくる一方で、巻き上げ部の形状が偏平になってしまって円形状とならず、見た目が極端に悪くなるとともに装着しにくくなるなどの問題が生じる（例えば、特許文献５、特許文献６、特許文献７、特許文献８を参照。）。
【０００６】
さらにまた、ポリ塩化ビニルフイルムのような軟質性フィルムで形成されたコンドームも提案されている。ここではポリ塩化ビニルフイルムでコンドーム状に一体形成するのは困難なところから２枚のフイルムの側部を熱シールにより形成するとともに、陰茎の勃起状態よりもややゆるめの大きさの形状にするものであるが、熱シール部分に多少のバリが生じるためにバリを陰茎側としなくてはならないとされている。そして、大きさがややゆるめであるために脱去防止のために、陰茎根元部付近のフイルムコンドームに直径５ミリの収縮自在のシリコーンゴムなどの円形リングであって、フイルムコンドームの開口円周よりやや小さめなものを使用するものである。しかしながら、フイルム２枚を熱シールにより接着するため、接着部にピンホールが発生しやすく、避妊効果上問題があるとか、接着部にバリが生ずるため、形成されたコンドームを裏返してバリをコンドーム内側としなければならないし、フイルムは軟質性とはいえシワが生じるところから、シワによっては先端部が硬いものとなり、膣壁に傷をつけたり、痛みを伴うなど必ずしも好ましくないし、バリにより陰茎に損傷を与えかねないものである。
このように、軟質塩化ビニルフイルムを用いたコンドームは、陰茎よりやや大きく形成されているためコンドーム全体にわたってシワが生じやすいとか、ピンホールの生成を防止するのが困難であるなど諸問題があり、実用的であるとはいえないものである（例えば、特許文献９参照。）。
【０００７】
また、本出願人は、すでに、コンドームと装着補助具よりなる男性用避妊具において、装着補助具として、断面形状がほぼ円形状のリング状物であって、しかもリング状物の内周がコンドーム外周の大きさとほぼ等しく、かつ外周から内周に向かっておよび／または内周から外周に向かって１箇所以上切込みが設けられたもの、あるいはリング状物よりなり、その断面形状がほぼ円形状のものであって、しかもリング状物の１か所以上にくびれが設けられたもの、さらにはコイル状部材によりリング状に形成されたものを提案した。これらの装着補助具付のコンドームは、製造しやすく、装着も容易であるなどの利点があるものの、コンドームの開口端部から閉端部に向かって巻き上げる際の芯部としてこれらの装着補助具が利用されるために、装着補助具に形成された切れ込み、くびれ、コイル状部材の形状がコンド−ムの巻き上げ部の形状となって現れるため、たとえばコイル状部材の場合にはコイルが蛇腹状の巻上げ部となり、また、切れ込みやくびれもその形状がそのまま巻き上げ部に現れるなど、そのまま見た目も悪いし、陰茎に装着する場合にゴロゴロした感じがし、装着が必ずしも良好であるとはいえないなどの点が出てきている（たとえば、特許文献１０、特許文献１１、特許文献１２を参照。）。
【０００８】
【特許文献１】特開平１０−１６５４３３、
【特許文献２】特開平７−３０８３３６、
【特許文献３】特開平６−１４９５２、
【特許文献４】特開平６−１５４２６０、
【特許文献５】特開平８−５６９７８、
【特許文献６】特開平８−２５２２７７、
【特許文献７】特開平６−１９７９２１、
【特許文献８】特開平９−２４０５９、
【特許文献９】特開平９−４７４６６、
【特許文献１０】特願２００２−２６４８７４、
【特許文献１１】特願２００２―３０６６５７、
【特許文献１２】特願２００２―３０６６５８、
【発明の開示】
【発明が解決しようとする課題】
【０００９】
上述のように、コンドームは人間の手の大きさに比べて小さいために、従来のものは陰茎への装着がやりにくいところから、コンドームを装着しやすくするための工夫がいろいろと試みられているが、装着感が良好で、製品を製造することが容易であり、製品の外観が装着する雰囲気と違和感がなく、陰茎にコンドームの装着がスムーズで容易となり、コンドームの装着後には装着補助具を容易に取り去ることができるなどのさらに改良されたコンドームが求められている。
【課題を解決するための手段】
【００１０】
本願発明は、上述の問題点を解決するとともに、解決しようとする課題を克服すべくなされたものである。
【００１１】
そして、本願発明は、天然ゴムまたは合成ゴムのコンドームと装着補助具よりなる装着補助具付コンドームであって、コンドームの開口端部から閉端部に向かってコンドームの外周壁を内側になるようにして巻き上げる際に、開口端部付近の外周面に（１）帯状の弾性高分子材料であって多数のくりぬき中空部が設けられているか、または長手方向に対してほぼ直角に多数の切り込みが設けられた材料の材料Aまたは（２）伸縮自在の包帯または帯状の弾性糸不織布の材料B、より選ばれる帯状の弾性材料を重合して巻き上げ部の内部に巻き込んでなる上記装着補助具付コンドームに関するものである。
【００１２】
ここで、装着補助具の材料Aの弾性高分子材料としては、天然ゴム、ブタジエン系合成ゴム、ニトリルゴム、クロロプレン系合成ゴム、イソプレン系合成ゴム、ブチルゴム、エチレン・プロピレンゴム、アクリルゴム、エチレン−アクリルゴム、シリコンゴム、ポリウレタン弾性体などの合成ゴム、さらにはこれらの天然ゴムや合成ゴムの発泡体、ポリウレタン発泡体などの伸縮自在の性質を有するものあるいは伸縮弾性を有する不織布が挙げられる。
【００１３】
帯状の弾性高分子材料は、多数のくりぬき中空部が設けられているか、または長手方向に対してほぼ直角に多数の切り込みが設けられていることが必要であるが、これは弾性高分子材料そのものでは、弾性が強すぎ、装着補助具としてコンドームに巻き込んだとき陰茎に装着する場合に装着がしにくいとともに陰茎を締め付けるなどの問題があるためである。そこで、この弾性力を弱める手段として帯状の材料の所望する箇所に多数のくりぬき中空部を設けるか、あるいは帯状の長手方向に対してほぼ直角に多数の切り込みを設けることとしたものである。切り込みやくりぬき中空部を設けると図５に示すように切り込みや中空部が大きく広がり少ない力で長手方向などへの伸張が容易となる。
【００１４】
切り込みは、帯状弾性高分子材料の表面から裏面を貫通するように切り込むが、その切り込みの長さは、任意の長さでよいが、帯状の材料の幅によって相違する。
くりぬき中空部は、切り込みの代わりに帯状の材料の表面から裏面を貫通するように設けられたくりぬきされた中空部であって、任意の形状のものでよい。たとえば、円形、楕円形、正方形、長方形、台形、平行四辺形、菱形などの形状のものが挙げられるが、これらのうちでは円形、楕円形、菱形が好ましい。
【００１５】
帯状の弾性高分子材料の幅としては、材料の厚みにもよるが１〜５ｃｍ程度、好ましくは２ｃｍ内外である。帯状の材料は、両端部が接合されるか、一体化されてリング状になっているか、あるいはその両端部が自由端となった構造のものでよい。材料の長さは、コンドームの外周部の長さとほぼ同じであることが好ましいが、長さが多少長くても、あるいは多少短くてもコンドームの巻き上げ部を形成する際に巻き込むことができればよい。
【００１６】
伸縮自在の包帯または帯状の伸縮自在の不織布の材料Bとしては、少なくとも長手方向に伸縮自在のものであればよい。通常、伸縮自在の包帯は、ポリウレタン弾性糸が編みこまれたものが多いが、伸縮自在のメリヤス編みなどの編み物からなるものであってもよい。伸縮自在の帯状の不織布としては、ポリウレタン弾性糸を接着剤で接着した不織布とか、ポリウレタンエラストマーのスパンボンド法によって製造された不織布その他の材料によって作られた伸縮弾性を有する不織布があげられる。
【００１７】
伸縮自在の包帯または帯状の伸縮自在の不織布の幅としては、材料の厚みにもよるが１〜５ｃｍ程度、好ましくは２ｃｍ内外である。帯状の材料は、両端部が接合されるか、一体化されてリング状になっているか、あるいはその両端部が自由端となった構造のものでよい。材料の長さは、コンドームの外周部の長さとほぼ同じであることが好ましいが、長さが多少長くても、あるいは多少短くてもコンドームの巻き上げ部を形成する際に巻き込むことができればよい。
【００１８】
また、本願発明の装着補助具付コンドームを製造するには、コンドームの開口端部付近の外周面に装着補助具を隣接した状態で、図８に示すようにコンドームと装着補助具とを一緒にして、コンドームの外周面を内側になるようにしてコンドームを巻き上げて、巻き上げ部を形成して製造する。
【００１９】
本願発明で使用するコンドームとしては従来から広く知られている各種の材料のものが使用できるが、天然ゴムないし合成ゴムを使用して形成されたものが一番好ましいものである。
このコンドームとしては着色剤を使用して着色したものでもよいし、その他適宜の添加剤を添加して形成されたものでもよい。
さらに、コンドームにゼリーを塗布したものも使用できる。
【００２０】
装着補助具としては、無着色のものでもよいが、コンドームの色とのコンビネーションを考えるべきであるとともに、装着補助具が容易にわかるような色とする工夫も場合によっては必要である。しかし、コンドームの色とあまり違和感のない色彩を考えて適宜着色することが好ましい。
【発明の効果】
【００２１】
上述したように、本願発明は、コンドームと装着補助具とよりなる装着補助具付コンドームであり、このコンドームの巻き上げ部は結局、装着補助具を巻き込んだ分だけ大きくなり巻き上げ部の直径ないし太さも増加するため、通常は３〜４ミリ程度の巻き上げ部の直径ないし太さが装着補助具の量にもよるが５〜８ミリ程度以上と大きくなるところから、人間の手の大きさに比べて小さかったものがそれなりに大きくなるので装着が容易となるし、見た目も非常によく、装着感が非常に格段に飛躍するという利点があるし、また、装着後の取り外しも容易であるなどの利点もある。
さらに、従来の（断面形状がほぼ円形状のリング状物であって、しかもリング状物の内周がコンドーム外周の大きさとほぼ等しく、かつ外周から内周に向かっておよび／または内周から外周に向かって１箇所以上切込みが設けられた装着補助具、あるいはリング状物よりなり、その断面形状がほぼ円形状のものであって、しかもリング状物の１か所以上にくびれが設けられた装着補助具、さらにはコイル状部材によりリング状に形成された）装着補助具などに比べて、巻き上げ部の芯部に用いられたコイルの形状が蛇腹状の巻上げ部となって現れるとか、切れ込みやくびれもその形状がそのまま巻き上げ部に現れるなどのことがなく巻き上げ部の形状がスムーズとなり、さらにリング状物ではリング端部によりコンドームにピンホールが生じやすいがこのようなこともなく、コンドームを装着するにしてもゴロゴロした感じがしないなど装着感が格段に向上する。また、包帯や不織布の装着補助具の場合には非常に軽い感じがするとか、柔らかい感じが装着も良好となるし、弾性高分子材料の場合には、切り込みやきりこみ中空部の形状が巻き上げ部にほとんどあるいはまったく現れずゴロゴロした感じもないし、従来の装着補助具に比べて伸縮性がよく、柔らかい感じがするなど装着も良好となるなどの利点も生じる。
【００２２】
くわえて、装着補助具を使用することによりコンドームの巻き上げ部の大きさ（直径）が大きくなるので、とくに性行為の途中段階での装着がきわめて容易になるとともに、後始末がきわめて簡単である。また、性行為の途中段階で装着することがほとんどであるので、リボン状物を介在させたものでは雰囲気にそぐわず、違和感が生ずるが、本願発明の装着補助具では装着の最終段階の直前まで目に触れることがないので、従来のコンドームの感覚で装着すればよいものである。しかも、装着補助具は構造が簡単で製造しやすいものであるし、この補助具を利用して巻き上げ部を形成するにしても従来の製造装置をそのまま使用することができ、さらに包装して商品化するにしても包装材料はほとんど従来の使用量とかわらないなどの効果を奏する。
【００２３】
さらに、テープ状物を使用したのと相違して見た目もきれいで、違和感がなく巻き上げ部の形状も円形ないしほぼ円形であるので装着しやすいなどの利点がある。とくに性行為をする前から装着することは一般的ではないといわれており、一般的には性行為の途中で装着されることになる。このような場合には膣などからの分泌物で陰茎表面が潤滑されておりきわめて装着しにくくなっている。このような場合にも本願発明の装着補助具付コンドームは装着が容易であるという利点を有している。そして、構造がきわめて簡単で製造もしやすく、従来からのコンドーム製造機械を何らの補修をすることなく適用することができるという製造上のメリットもある。
【００２４】
本願発明を図を用いて具体的に説明する。
図９は、従来のコンドーム１’を示し、開口端部には通常コンドーム本体と一体に形成されたリング（図示せず）を有し、このリングをベースとしてコンドーム外周面を内側にして巻き込むようにして閉端部６’まで巻き上げて巻き上げ部３’を形成し、このような巻き上げられた形態のコンドーム１’をそれぞれ別々に包装して製品としている。
この場合、リングの直径あるいは大きさはコンドームの膜厚よりやや大きくしてあり、これを芯部として巻き上げられている。しかし、このリングの直径はコンドームの膜厚よりやや大きくしてあるものの、この膜厚が厚いと性感がそこなわれるなどとしてより薄いものが好まれているため、リングの直径はどうしても小さくならざるをえなくなる。そうすると、巻き上げ部３’の大きさ（直径）は小さくなってしまうところから、巻き戻しながら陰茎に装着しようとすると巻き戻しが容易ではないなどの実際の問題が生じている。
なお、図９で３’は精液溜を示す。
【００２５】
本願発明の装着補助具付コンドームを図１に示すが、図１は、その巻き上げ部の一部切り欠いた装着補助具付コンドームの斜視図である。ここで、２は装着補助具、３は巻き上げ部、４はコンドーム本体、６は閉端部、５は精液溜をそれぞれ示す。
本願発明の図１に示す装着補助具付コンドーム１は、装着補助具２を巻き上げ部３を形成する際に、コンドームの開口端部付近の外周面に装着補助具を隣接した状態で、図８に示すようにコンドームと装着補助具とを同時にコンドームの外周面を内側になるようにしてコンドームを巻き上げて、巻き上げ部を形成するものである。このようにすることにより、コンドームの巻き上げ部には装着補助具が介在してコンドームの膜厚のいかんにかかわらず巻き上げ部３の大きさ（直径）を装着しやすいような大きさに調節することができる。
【００２６】
図２は、図１の巻き上げ部３付近の一部の断面図を示し、２は装着補助具、３は巻き上げ部、４はコンドーム本体、６は閉端部をそれぞれ示す。巻き上げ部３は、図８ａ〜ｃでみるようにコンドーム開口端部付近の外周面に装着補助具を隣接した状態で帯状の装着補助具を巻き込んでコンドームを巻き上げて形成される。このようにコンドームの開口端部から閉端部に向かって帯状の弾性材料とコンドーム本体とがサンドイッチ状に交互に巻き取り部が捲回されて構成されているので、巻き上げ部の大きさが大きくなり装着しやすくなるとともに帯状であるために装着する場合に巻き上げ部の巻き戻しがスムーズとなり装着感が滑らかとなるし、取り扱いやすいものとなる。
【００２７】
図３は、ゴムバンド状の装着補助具１１を示し、弾性材料１２の長手方向に直角に多数の切り込み１３が設けられている。
図４は、図３で示された弾性材料１２の長手方向に切り込み１３が設けられている部分的拡大図である。この図４において、長手方向の矢印のように伸張すると図５に示すような状態の形状となる。ただ図５では、伸張されたものを模式的に示してある。このように切込みを入れることにより長手方向に伸張する場合には、つまりゴムバンド状の装着補助具の大きさを広げるようにする場合には、切り込みを入れてない場合に比べて少ない力で装着補助具を伸張してコンドームの陰茎への装着後にはずすことができる。また、このような切り込みを入れることによって、弾性材料が容易に伸張しやすくなる。また、この装着補助具を使用してコンドームの巻き上げ部を形成しても巻き上げ部に切り込みなどのへこみの形状が現れない。
【００２８】
図６は、装着補助具の別の例を示す部分拡大図を示し、弾性材料２２の長手方向に、多数の楕円形のくりぬき中空部２３が設けられたものである。このように中空部を設けることにより長手方向に伸張する場合には、中空部を設けてない場合に比べて少ない力で装着補助具を伸張してコンドームの陰茎への装着後にはずすことができる。また、このような中空部を設けることによって、弾性材料が容易に伸張しやすくなる。また、この装着補助具を使用してコンドームの巻き上げ部を形成しても巻き上げ部に中空部などのへこみの形状がほとんど現れない。
【００２９】
図７は、装着補助具の他の例を示す部分拡大図を示し、ここでは伸縮自在の包帯３２あるいは伸縮自在の帯状の不織布３２によって構成されている。包帯や不織布の装着補助具の場合には非常に軽い感じがするとか、ゴロゴロした感じもないし、従来の装着補助具に比べて伸縮性がよく、柔らかい感じがするなど装着感なども良好なものとなる。
【００３０】
図８は、装着補助具をコンドームに巻き込んで装着補助具付コンドームを製造する場合の工程図を示すものである。
図８ａは、巻き上げ部４３を形成する前のコンドーム４０を示す。ここで４４はコンドーム本体を、４２は伸縮自在の包帯ないし帯状の伸縮自在の不織布よりなる装着補助具を、４５は精液溜を、４１はコンドームの開口端部にコンドーム本体４４と一体に成形されているリングそれぞれ示す。
図８ａにおいて開口端部側から矢印で示すようにコンドームと装着補助具とを巻き上げて巻き上げ部４３を形成していくと、図８ｂに示すような中間工程のものができる。
さらにコンドームを巻き上げていくと図８ｃに示すような装着補助具を巻き上げ部内に巻き込んだ形状の装着補助具付コンドーム４６が形成される。
【図面の簡単な説明】
【００３１】
【図１】巻き上げ部の一部を切り欠いた本願発明の男性用避妊具の斜視図を示す。
【図２】図１の男性用避妊具の巻き上げ部の一部の断面図を示す。
【図３】装着補助具の斜視図を示す。
【図４】図３に示された装着補助具の部分拡大された正面図を示す。
【図５】図４に示された装着補助具を長手方向に伸ばした場合の模式図を示す。
【図６】装着補助具の他の例を示す部分拡大図を示す。
【図７】装着補助具の別の例を示す部分拡大図を示す。
【図８】本願発明の装着補助をコンドームに巻き込んで作る工程図を示し、図８ａは、巻き上げ部を形成する前の状態の男性用避妊具の側面図を示し、図８ｂは、巻き上げ部を形成する途中の状態の男性用避妊具の側面図を示し、図８ｃは、巻き上げ部を形成し終わった状態の男性用避妊具の側面図を示す。
【図９】従来の巻き上げ部が形成されたコンドームの斜視図を示す。
【符号の説明】
【００３２】
１、４６：巻き上げ部が形成された装着補助具付コンドーム
１’：巻き上げ部が形成された従来のコンドーム
２、１１、４２：装着補助具
３、３’、４３：巻き上げ部
４、４４：コンドーム本体
５、５’、４５：精液溜
６、６’：閉端部
１２、２２：弾性材料
１３：切り込み
２３：くりぬき中空部
３２：伸縮自在の包帯あるいは伸縮自在の帯状の不織布
４０：巻き上げ部が形成される前のコンドーム
４１：リング
【図１】
2005111117.tif 000003
【図２】
2005111117.tif 000004
【図３】
2005111117.tif 000005
【図４】
2005111117.tif 000006
【図５】
2005111117.tif 000007
【図６】
2005111117.tif 000008
【図７】
2005111117.tif 000009
【図８】
2005111117.tif 000010
【図９】
2005111117.tif 000011